(57)【特許請求の範囲】
【請求項１】
吸込口と吹出口とを有する本体ケースと、
前記本体ケース内に設けた加湿部と、
前記加湿部に水を供給するタンク部とからなり、
前記本体ケースは、
天面の開口部から前記タンク部を挿入できるタンク装着部と、
前記開口部を塞ぐ蓋部とを有し、
前記蓋部は、回動部によって上下方向に回動自在に設けられ、
前記回動部は、前記開口部の周縁の前記本体ケースにおける背面側に備えると共に、前記蓋部に所定以上の力が掛かると前記蓋部が外れ、
前記回動部は、前記開口部周縁の前記本体ケースにおける背面側に突出し、
前記回動部は、
前記本体ケースに設けた複数の軸部分と、
前記蓋部に備えた複数の軸受部分とからなり、
前記軸部分は、
前記開口部の周縁から前記本体ケースにおける上方向へ延び、次に背面方向へ延び、前記回動部の回動軸方向に対して垂直方向に面を有する略Ｌ字の板形状の軸支持と、
前記軸支持の先端部から前記回動部の回動軸方向に延びた円柱形状の軸とからなり、
前記軸受部分は、
前記蓋部を閉じた場合に、前記蓋部から前記本体ケースにおける背面方向へ延びた板形状の穴支持と、
前記穴支持に設けた前記軸が嵌る穴とからなり、
前記回動部の回転中心である前記軸支持の前記軸は、前記本体ケースにおける背面より外方に出ており、
前記蓋部に力が掛かると前記軸支持が前記回動部の回動軸方向において前記軸受部分から離れる方向に撓み前記蓋部が外れることを特徴とする加湿装置。
【請求項２】
前記タンク部は、
水を貯水できるタンク容器部分と、
前記タンク容器部分の一方側に設けられたタンク取手部分と、
前記タンク容器部分の他方側に備えた前記加湿部へ水を供給するタンク給水部分とからなり、
前記タンク取手部分は、略棒形状で前記タンク部を前記タンク装着部に装着する時に前記本体ケースにおける前後方向に延びることを特徴とする請求項１に記載の加湿装置。
【請求項３】
前記蓋部を上方向に回動させ前記蓋部を開けると、前記回動部は、所定の位置で前記蓋部を保持する保持部分を有することを特徴とする請求項１または２に記載の加湿装置。
【請求項４】
前記保持部分は、前記蓋部の前記本体ケースにおける背面方向へ延びる突起で、前記突起は、複数の前記軸受部分の間に設けられ、前記蓋部が所定の角度まで開くと前記突起の先端が前記本体ケースの背面に当たることを特徴とする請求項３に記載の加湿装置。
【請求項５】
前記回動部は、前記本体ケースの天面から所定の距離を有して下方に位置する構成としたことを特徴とする請求項１から４のいずれかに記載の加湿装置。
【請求項６】
前記タンク部は、前記一方側から前記他方側に伸びる中心線に対して点対称な形状であることを特徴とする請求項２に記載の加湿装置。
【請求項７】
前記蓋部の内面には、前記蓋部が外れた場合の取り付け方法が記載されていることを特徴とする請求項１から６のいずれかに記載の加湿装置。
【発明の詳細な説明】
【技術分野】
【０００１】
本発明は、着脱式のタンク部から供給される水で、加湿フィルターを湿らせ、この加湿フィルターに送風することにより、室内を加湿する加湿装置に関する。
【背景技術】
【０００２】
従来のこの種の加湿装置の構成は以下のようになっていた。
【０００３】
すなわち、吸込口と吹出口とを有する本体ケースと、本体ケース内に設けた加湿部と、加湿部に水を供給するタンク部とから構成されている。本体ケースは、天面の開口部からタンク部を挿入できるタンク装着部と、開口部を塞ぐと共に開口部から取り外し可能な蓋部とを有している。この蓋部を本体ケースの開口部から取り外すことによって、タンク部をタンク装着部から出し入れすることができる構成としている。
【先行技術文献】
【特許文献】
【０００４】
【特許文献１】特開２０１１−９９６２５号公報
【発明の概要】
【発明が解決しようとする課題】
【０００５】
上記従来例における課題は、加湿装置の給水時における使用感が悪いということであった。
【０００６】
従来の物においては、タンク部へ水を給水する場合には、まず、本体ケースから蓋部を取り外し、本体ケースからタンク部を取り出す。次に、タンク部に水道の蛇口等から給水する。最後に、タンク部を本体ケースに装着し、蓋部を本体ケースに取り付けるものである。すなわち、本体ケースから蓋部を取り外すと、蓋部を一旦、加湿装置の近くに置かなければならなかった。そして、タンク部を本体ケースに装着した後には、その加湿装置の近くに置いた蓋部を拾い上げ、本体ケースに取り付けなければならなかった。結果として加湿装置への給水に手間がかかっていた。
【０００７】
そこで本発明は、加湿装置の給水時における使用感の向上を目的とするものである。
【課題を解決するための手段】
【０００８】
そして、この目的を達成するために、本発明は、吸込口と吹出口とを有する本体ケースと、前記本体ケース内に設けた加湿部と、前記加湿部に水を供給するタンク部とからなり、前記本体ケースは、天面の開口部から前記タンク部を挿入できるタンク装着部と、前記開口部を塞ぐ蓋部とを有し、前記蓋部は、回動部によって上下方向に回動自在に設けられ、前記回動部は、前記開口部の周縁の前記本体ケースにおける背面側に備えると共に、前記蓋部に所定以上の力が掛かると前記蓋部が外れ、前記回動部は、前記開口部周縁の前記本体ケースにおける背面側に突出し、前記回動部は、前記本体ケースに設けた複数の軸部分と、前記蓋部に備えた複数の軸受部分とからなり、前記軸部分は、前記開口部の周縁から前記本体ケースにおける上方向へ延び、次に背面方向へ延び、前記回動部の回動軸方向に対して垂直方向に面を有する略Ｌ字の板形状の軸支持と、前記軸支持の先端部から前記回動部の回動軸方向に延びた円柱形状の軸とからなり、前記軸受部分は、前記蓋部を閉じた場合に、前記蓋部から前記本体ケースにおける背面方向へ延びた板形状の穴支持と、前記穴支持に設けた前記軸が嵌る穴とからなり、前記回動部の回転中心である前記軸支持の前記軸は、前記本体ケースにおける背面より外方に出ており、前記蓋部に力が掛かると前記軸支持が前記回動部の回動軸方向において前記軸受部分から離れる方向に撓み前記蓋部が外れることを特徴とする加湿装置。
【発明の効果】
【０００９】
本発明によれば、本体ケースは、天面の開口部からタンク部を挿入できるタンク装着部と、開口部を塞ぐ蓋部とを有し、蓋部は、回動部によって上下方向に回動自在に設けられ、これにより、給水時に蓋部を回動させるだけで、開口部を開くことができる。すなわち、本体ケースから蓋部を取り外すことがないので、蓋部を一旦、加湿装置の近くに置いたり、拾い上げる動作がなくなり、加湿装置の給水時における手間をはぶくことができる。
【００１０】
また、回動部は、開口部の周縁の本体ケースにおける背面側に備えているので、蓋部は、本体ケースにおける背面側に開き、タンク部の出し入れ時に、タンク部が蓋部に当たることを抑制できる。
【００１１】
更に、タンク部の出し入れ時に、誤ってタンク部が蓋部に当たった場合には、蓋部に所定以上の力が掛かると、開口部の周縁から本体ケースにおける上方向へ延び、次に背面方向へ延び、回動部の回動軸方向に対して垂直方向に面を有する略Ｌ字の板形状の軸支持が回動部の回動軸方向において軸受部分から離れる方向に撓み、蓋部が外れるので、蓋部、回動部、または本体ケースの破損を防止することが出来る。
【００１２】
結果として、加湿装置の給水時における使用感を向上させることができる。
【図面の簡単な説明】
【００１３】
【図１】本発明の実施の形態１の加湿装置を示す斜視図
【図２】同加湿装置を示す斜視図
【図３】同加湿装置を示す展開図
【図４】同加湿装置を示す断面図
【図５】同加湿装置の蓋部および回動部を示す拡大図
【図６】同加湿装置の蓋部および回動部を示す分解図
【図７】同加湿装置のタンク部を示す斜視図
【図８】同加湿装置の蓋部および回動部を示す拡大図
【図９】同加湿装置の蓋部および回動部を示す拡大図
【発明を実施するための形態】
【００１４】
以下、本発明の実施の形態について図面を参照しながら説明する。
【００１５】
（実施の形態１）
図１は、本発明の実施の形態１の加湿装置を示す斜視図である。図２は、本発明の実施の形態１の加湿装置を示す展開図である。図２は、蓋部を開けた状態である。図３は、本発明の実施の形態１の加湿装置を示す展開図である。図３は、タンク部を抜いた状態である。
【００１６】
図１、図２、図３に示すように、加湿装置は、本体ケース１と、本体ケース１内に設けられた後述する加湿部と、加湿部に水を供給するタンク部２とから構成されている。
【００１７】
本体ケース１は、横長の箱形状である。本体ケース１の外周面の背面側には吸込口（図示せず）が備えられている。本体ケース１の天面の一方側（本体ケースの正面から見て左側）には吹出口３が備えられ、本体ケース１の天面の他方側（本体ケースの正面から見て右側）には四角形状の開口部４が備えられている。
【００１８】
開口部４には、開口部４を塞ぐ蓋部５が装着されている。蓋部５を開くと、本体ケース１内には、天面の開口部４からタンク部２を挿入、装着できるタンク装着部６が備えられている。
【００１９】
蓋部５は、四角形で、下面が開口した椀形状である。蓋部５には、本体ケース１における背面側に回動部７が備えられ、本体ケース１の天面の他方側（本体ケースの正面から見て右側）につまみ８が設けられている。
【００２０】
図４は、本発明の実施の形態１の加湿装置を示す断面図である。図４は、前面から見た断面図である。図４に示すように、本体ケース１内には、加湿部９が備えられている。加湿部９は、貯水容器１０と、加湿フィルター１１と、送風機１２とから構成している。
【００２１】
貯水容器１０は、上面が開口した椀形状である。貯水容器１０の一方側（本体ケースの正面から見て左側）には、加湿フィルター１１が装着され、貯水容器１０の他方側（本体ケースの正面から見て右側）には、タンク部２が装着される。タンク部２から供給された水が、貯水容器１０内に所定の量だけ溜まる。
【００２２】
加湿フィルター１１は、貯水容器１０内に溜まった水に、下端部が浸漬するように、貯水容器１０に装着されている。加湿フィルター１１は、貯水容器１０内に溜まった水を吸い上げ、加湿フィルター１１全体が湿った状態になる。
【００２３】
送風機１２は、加湿フィルター１１の上方に設けられている。モータ１３と、モータ１３によって回転する羽根１４とから構成している。
【００２４】
続いて、加湿装置における空気の流れを説明する。吸込口と吹出口３とを連通する風路には、吸込口、加湿フィルター１１、送風機１２、吹出口３が順に配置されている。送風機１２によって、本体ケース１外の空気が、吸込口から吸い込まれ、加湿フィルター１１へ送風される。この加湿フィルター１１を通過することによって、湿った空気となる。この湿った空気が、送風機１２を介し、吹出口３から室内へ送風される。
【００２５】
図５は、本発明の実施の形態１の加湿装置の蓋部５および回動部７を示す拡大図である。図６は、本発明の実施の形態１の加湿装置の蓋部５および回動部７を示す分解図である。図５、図６に示すように、本実施形態における特徴は、蓋部５が、回動部７によって上下方向に回動自在に設けられ、回動部７が、開口部４の周縁の本体ケース１における背面側に備えられ、蓋部５に所定以上の力が掛かると蓋部５が外れる点である。
【００２６】
すなわち、蓋部５は、回動部７によって上下方向に回動自在に設けられている。これにより、給水時に蓋部５を回動させるだけで、開口部４を開くことができる。つまり、本体ケース１から蓋部５を取り外すことがないので、蓋部５を一旦、加湿装置の近くに置いたり、拾い上げる動作がなくなり、加湿装置の給水時における手間をはぶくことができる。
【００２７】
また、回動部７は、開口部４の周縁の本体ケース１における背面側に備えているので、蓋部５は、本体ケース１における背面側に開き、タンク部２の出し入れ時に、タンク部２が蓋部５に当たることを抑制できる。
【００２８】
更に、タンク部２の出し入れ時に、誤ってタンク部２が蓋部５に当たった場合には、蓋部５に所定以上の力が掛かると蓋部５が外れるので、蓋部５、回動部７、または本体ケース１の破損を防止することが出来る。
【００２９】
結果として、加湿装置の給水時における使用感を向上させることができる。
【００３０】
具体的には、回動部７は、本体ケース１に設けた複数の軸部分１５と、蓋部５に備えた複数の軸受部分１６とから構成している。
【００３１】
軸部分１５は、開口部４の周縁から本体ケースにおける上方向および背面方向へ延びた板形状の軸支持１７と、軸支持１７から延びた円柱形状の軸１８とから形成している。軸支持１７は、開口部４の周縁の本体ケース１における背面側に２つ、軸支持１７における平面が向かい合いように設けられている。軸支持１７における外方側の平面から外方へ向かって、円柱形状の軸１８がそれぞれ延びている。
【００３２】
軸受部分１６は、蓋部５から本体ケース１における背面方向へ延びた板形状の穴支持１９と、穴支持１９に設けた軸部分の軸が嵌る穴２０と、穴２０から外方に延びた溝２７とから形成している。
【００３３】
穴支持１９は、蓋部５における背面側に２つ、穴支持１９における平面が向かい合いように設けられている。穴支持１９における内方側の平面に、軸部分１５の軸１８が嵌る穴２０がそれぞれ設けられている。穴２０から外方に延びた溝２７の深さは、穴２０の深さより小さい。
【００３４】
蓋部５に力が掛かると、軸支持１７が撓み、軸部分１５の軸１８が軸受部分１６の穴２０から外れ、蓋部５が本体ケース１から外れる構成である。
【００３５】
蓋部５を取り付ける場合には、一方側の軸部分１５の軸１８を一方側の軸受部分１６の穴２０をはめ、他方側の軸部分１５の軸１８を他方側の軸受部分１６の溝２７にはめ、他方側の軸部分１５の軸１８を溝２７内でずらし、穴２０にはめる。つまり、溝２７は、蓋部５を取り付ける場合のガイドとして機能する。
【００３６】
また、軸支持１７は、まず開口部４の周縁から本体ケースにおける上方向へ延び、次に背面方向へ延びている。つまり、略Ｌ字形状である。このように、軸支持１７を略Ｌ字形状にすると、単に、軸支持１７を開口部４の周縁から本体ケースにおける斜め上方向へ延ばした場合に比べて、軸支持１７の根元から軸１８までの軸支持１７の長さが長くなるので、蓋部５に力が掛かると、軸支持１７が撓み易くなる。
【００３７】
更に、本体ケース１における背面側の開口部４の周縁には、下方に窪んだ凹部２６を２つ備えている。凹部２６の底から、軸部分１５の軸支持１７が上方向へ延びている。これにより、軸支持１７の根元から軸１８までの軸支持１７の長さが更に長くなるので、蓋部５に力が掛かると、軸支持１７が更に撓み易くなる。結果として、軸支持１７の耐久性が向上する。
【００３８】
図７は、本発明の実施の形態１の加湿装置のタンク部２を示す斜視図である。
【００３９】
図７に示すように、また、タンク部２は、水を貯水できるタンク容器部分２１と、タンク容器部分２１の一方側に設けられたタンク取手部分２２と、タンク容器部分２１の他方側に備えた加湿手段へ水を供給するタンク給水部分２３とから形成されている。タンク取手部分２２は、略棒形状でタンク部２をタンク装着部６に装着する時に本体ケース１における前後方向に延びる。
【００４０】
これにより、左右どちらの手でもタンク取手部分２２をつかみ易くなり、タンク部２の出し入れが容易なため使い勝手が向上する。
【００４１】
また、タンク部２は、一方側から他方側に伸びる中心線に対して点対称な形状である。
【００４２】
これにより、タンク部２を左右どちらの方向に回転させても本体ケース１のタンク装着部６に挿入することが出来、使い勝手が向上する。
【００４３】
図８、９は、本発明の実施の形態１の加湿装置の蓋部５および回動部７を示す拡大図である。図９は、蓋部５が開いた状態を本体ケース１における右側から見た図である。
【００４４】
図８、９に示すように、回動部７は、開口部４周縁の本体ケース１における背面側に突出している。すなわち、回動部７の回転中心Ａが、本体ケース１における背面より外方に出ている。
【００４５】
これにより、回動部７が本体ケース１内側にあるときよりも蓋部５の回転の軌跡が本体ケース１の外側に出るために、蓋部５と本体ケース１の隙を狭くすることが出来、外観品位が向上する。本体ケース１における背面側から見ると、本体ケース１の上端と蓋部５の下端との間の隙間を小さくすることができる。つまり、本体ケース１における背面の上端である本体背面側上端部２８と、蓋部５における本体ケース１の背面側となる下端である蓋背面側下端部２９との間の隙間を小さくすることができる。
【００４６】
仮に、回動部７の回転中心が、本体ケース１における背面より内方に入っていると、蓋部５を回転させると、蓋部５の回転の軌跡が本体ケース１の内側に入るため、この本体ケース１の内側に入る寸法だけ、本体ケース１における背面の上端である本体背面側上端部２８と、蓋部５における本体ケース１の背面側となる下端である蓋背面側下端部２９との間に隙間を設けなければならない。
【００４７】
また、蓋部５を上方向に回動させ蓋部５を開けると、本体ケース１の開口部４の周縁は、所定の位置で蓋部５を保持する保持部分２４を有する。具体的には、保持部分２４は、蓋部５の本体ケース１における背面方向へ延びる突起２５である。突起２５は、複数の軸部分１５の間に設けられ、蓋部５が所定の角度まで開くと突起２５の先端が蓋部５の本体ケース１における背面側に当たる。つまり、蓋部５が閉まった状態から約９５度から１２０度の角度で支持される。
【００４８】
これにより、蓋部５の回転角度を調整することが出来、蓋部５を開けた際に蓋部５が回転しすぎて本体ケース１と接触して傷をつけることがなくなる。このように、タンク部の出し入れ時には、蓋部５を所定の角度まで開いた状態で支持できるので、タンク部の出し入れが容易になる。
【００４９】
また、軸受部分１６の溝２７は、突起２５の先端を回動中心として、この回動中心から軸受部分１６の穴２０までを半径とする円弧上に位置する構成である。
【００５０】
すなわち、突起２５の先端が蓋部５の本体ケース１における背面側に当たり、蓋部５が所定の角度まで開いた状態から、誤ってタンク部が蓋部５に当り、更に蓋部が開く方向へ、蓋部５に所定以上の力が掛かると、突起２５の先端を回動中心として、蓋部５が回動しようとする。ここで、軸支持１７が撓み、軸部分１５の軸１８が、まず軸受部分１６の穴２０から外れ、溝２７にはまる。次に、軸部分１５の軸１８が、溝２７内を移動し、軸受部分１６からはずれる。このように、軸部分１５の軸１８が、溝２７内を移動し、軸受部分１６から外れるので、軸支持１７の撓み幅が小さくなり、蓋部、回動部、または本体ケース１の破損を防止することが出来る。
【００５１】
また、回動部７は、本体ケース１の天面から所定の距離を有して下方に位置する構成とした。
【００５２】
これにより、回動部７が、本体ケース１における前面側から見えにくくなり、外観品位を向上させることが出来る。
【００５３】
また、蓋部５の天面が、水平面に対して垂直になるまで、蓋部５を回動させると、蓋部５の重心が、回動部７の回転中心Ａより本体ケース１における外方に位置する構成とする。具体的には、まず、蓋部５の天面が、水平面に対して垂直になるまで、蓋部５を回動させた場合に、蓋部５の重心となる蓋重心点Ｂと、この状態における蓋部５の天面までの水平距離を重心距離Ｌとする。蓋部５を閉じた状態で、蓋部５の天面から、この重心距離Ｌより下方に、回動部７の回転中心Ａを設ける。これにより、蓋部５の天面が、水平面に対して垂直になるまで、蓋部５を回動させると、蓋部５の重心が、回動部７の回転中心Ａより本体ケース１における外方になる。
【００５４】
すなわち、蓋部５の天面が、水平面に対して垂直になるまで、蓋部５を回動させると、重力により、蓋部５が本体ケース１における外方へ回動するので、蓋部５を開け易くなる。更に、本体ケース１の背面側に壁がある場合にも、蓋部５の天面が、水平面に対して垂直になるまで、蓋部５を回動できれば、蓋部５の天面が、水平面に対して垂直な状態で維持できる。
【００５５】
また、蓋部５の内面には、蓋部５が外れた場合の取り付け方法が記載されている。
【００５６】
これにより、蓋部５の取り付け方法を見ながら取り付け作業が出来るため、蓋部５の取り付け方をわかりやすくすることが出来る。
【産業上の利用可能性】
【００５７】
本発明にかかる加湿装置は、本体ケースは、天面の開口部からタンク部を挿入できるタンク装着部と、開口部を塞ぐ蓋部とを有し、蓋部は、回動部によって上下方向に回動自在に設けられ、これにより、給水時に蓋部を回動させるだけで、開口部を開くことができる。すなわち、本体ケースから蓋部を取り外すことがないので、蓋部を一旦、加湿装置の近くに置いたり、拾い上げる動作がなくなり、加湿装置の給水時における手間をはぶくことができるものであるので、家庭用や事務所用などに使用される加湿装置等として有用である。
【符号の説明】
【００５８】
１      本体ケース
２      タンク部
３      吹出口
４      開口部
５      蓋部
６      タンク装着部
７      回動部
８      つまみ
９      加湿部
１０      貯水容器
１１      加湿フィルター
１２      送風機
１３      モータ
１４      羽根
１５      軸部分
１６      軸受部分
１７      軸支持
１８      軸
１９      穴支持
２０      穴
２１      タンク容器部分
２２      タンク取手部分
２３      タンク給水部分
２４      保持部分
２５      突起
２６      凹部
２７      溝
２８      本体背面側上端部
２９      蓋背面側下端部
Ａ        回転中心
Ｂ        蓋重心点
Ｌ        重心距離
【図１】
0006572425.tif 000002
【図２】
0006572425.tif 000003
【図３】
0006572425.tif 000004
【図４】
0006572425.tif 000005
【図５】
0006572425.tif 000006
【図６】
0006572425.tif 000007
【図７】
0006572425.tif 000008
【図８】
0006572425.tif 000009
【図９】
0006572425.tif 000010